(57)【要約】      （修正有）【課題】携帯性の向上を図り、容易に取り出して使用することができる携帯型バッグを提供する。【解決手段】携帯型バッグ１００は、開口部５１を有する袋状の本体部１０と、本体部の開口部の付近に位置し、開口部を挟んで本体部の両面にそれぞれ設けられる一対の持ち手２０と、を有し、本体部は、開口部を上方にした姿勢で等間隔の横筋線となる、山折りと谷折りを繰り返したプリーツ加工による蛇腹の折り目６１、６２を有し、一対の持ち手のそれぞれは、開口部を上方にした姿勢で横方向に長尺となるベルト状の持ち手であり、蛇腹の折り目に従い本体部を重ね折りした状態で本体部に収まっており、一対の持ち手のうちの少なくとも一方が、蛇腹の折り目に従い本体部を重ね折りした状態で、本体部の最外面上に露出する。【選択図】図１
0003229617.tif 000002
【実用新案登録請求の範囲】
【請求項１】
開口部を有する袋状の本体部と、
前記本体部の開口部の付近に位置し、当該開口部を挟んで前記本体部の前面と背面の両面にそれぞれ設けられる一対の持ち手と、
を有する携帯型バッグであって、
前記本体部は、当該本体部の開口部を上方にした姿勢で等間隔の横筋線となる、山折りと谷折りを繰り返したプリーツ加工による蛇腹の折り目を有し、
前記一対の持ち手のそれぞれは、前記本体部の開口部を上方にした姿勢で横方向に長尺となるベルト状の持ち手であり、当該横方向の両端部で前記本体部に固定されており、前記蛇腹の折り目に従い前記本体部を重ね折りした状態で、前記本体部から張り出ずに収まっており、
前記一対の持ち手のうちの少なくとも一方が、前記蛇腹の折り目に従い前記本体部を重ね折りした状態で、前記本体部の最外面上に露出するように設けられていることを特徴とする、携帯型バッグ。
【請求項２】
更に、折り畳まれた状態の前記本体部を拘束する留め具を有することを特徴とする、請求項１に記載の携帯型バッグ。
【請求項３】
前記留め具は、ストレッチテープをリング状にして前記持ち手の一端側に取り付けられており、折り畳まれた状態の前記本体部をリング内に通して拘束することを特徴とする、請求項２に記載の携帯型バッグ。
【請求項４】
前記留め具は、フック面とループ面とにより構成される面ファスナーを有し、前記フック面と前記ループ面とが係合することで、折り畳まれた状態の前記本体部を拘束することを特徴とする、請求項２に記載の携帯型バッグ。
【考案の詳細な説明】
【技術分野】
【０００１】
本考案は、小さく折り畳んで携帯することができる携帯型バッグに関する。
【背景技術】
【０００２】
近年、環境汚染防止の観点で、店舗側で用意したプラスチック製の袋（通称「レジ袋」）を使用せずに、これに替えて購入者が自らバッグを持参して、当該バッグに商品を入れて持ち帰ることが多くなっている。
【０００３】
このようなバッグを常に所持して持ち歩くには、携帯性が重要となる。例えば以下の文献には、小さく折り畳んで携帯することができるバッグが開示されている。
【先行技術文献】
【特許文献】
【０００４】
【特許文献１】特許第５１０３６５２号公報
【特許文献２】実用新案登録第３２２５０９２号公報
【考案の概要】
【考案が解決しようとする課題】
【０００５】
上述したように、購入者自らがバッグを持ち歩く機会が増えていることもあり、バッグの携帯性に関する性能向上は、現在においても日々求められている。
【０００６】
加えて、商品を詰め込むための専用スペースの無い店舗において、会計待ちで列を成している状況の中、購入者がレジスター前で持参したバッグを取り出して袋詰めを行うと、後続に並んでいる人はその分待たされる。よって、素早くバッグを取り出して使用することが望まれる。
【０００７】
本考案は、バッグの携帯性に関する性能向上を図るとともに、バッグを容易に取り出して使用することができる技術を提供することを目的とする。
【課題を解決するための手段】
【０００８】
上述の課題を解決するため、本考案における携帯型バッグは、開口部を有する袋状の本体部と、本体部の開口部の付近に位置し、当該開口部を挟んで本体部の前面と背面の両面にそれぞれ設けられる一対の持ち手と、を有する携帯型バッグであって、本体部は、当該本体部の開口部を上方にした姿勢で等間隔の横筋線となる、山折りと谷折りを繰り返したプリーツ加工による蛇腹の折り目を有し、一対の持ち手のそれぞれは、本体部の開口部を上方にした姿勢で横方向に長尺となるベルト状の持ち手であり、当該横方向の両端部で本体部に固定されており、蛇腹の折り目に従い本体部を重ね折りした状態で、本体部から張り出ずに収まっており、一対の持ち手のうちの少なくとも一方が、蛇腹の折り目に従い本体部を重ね折りした状態で、本体部の最外面上に露出するように設けられていることを特徴とする。
また本考案における携帯型バッグは、更に、折り畳まれた状態の本体部を拘束する留め具を有することを特徴とする。
この留め具は、ストレッチテープをリング状にして持ち手の一端側に取り付けられており、折り畳まれた状態の本体部をリング内に通して拘束することを特徴とする。
もしくは、この留め具は、フック面とループ面とにより構成される面ファスナーを有し、フック面とループ面とが係合することで、折り畳まれた状態の本体部を拘束することを特徴とする。
【考案の効果】
【０００９】
本考案により、バッグの携帯性に関する性能向上を図るとともに、バッグを容易に取り出して使用することができる。
【図面の簡単な説明】
【００１０】
【図１】実施形態の携帯型バッグの展開状態を例示する斜視図である。
【図２】実施形態の携帯型バッグの使用状態を例示する斜視図である。
【図３】実施形態の携帯型バッグの重ね折り状態（Ａ）、バッグを留め具で拘束するときの一連の動作（Ｂ、Ｃ）、拘束した状態（Ｄ）、及びもう１段階折り畳んで拘束した状態（Ｅ）を例示する斜視図である。
【図４】実施形態の携帯型バッグの前面図（バッグの外側面）である。
【図５】実施形態の携帯型バッグの背面図（バッグの外側面）である。
【図６】持ち手を補強した場合における、携帯型バッグの前面の一部（バッグの外側面の一部）（Ａ）、前面の裏側面の一部（バッグの内側面の一部）（Ｂ）、及び断面図（Ｃ）を例示する図である。
【図７】留め具を横向きに配置した携帯型バッグの前面図（バッグの外側面）（Ａ）、及び折り畳んで拘束した状態（Ｂ）を例示する図である。
【図８】留め具を面ファスナーとした携帯型バッグの前面図（バッグの外側面）（Ａ）、及び折り畳んで拘束した状態（Ｂ）を例示する図である。
【考案を実施するための形態】
【００１１】
以下、本実施形態の携帯型バッグについて、図面を参照しつつ説明する。尚、以下に示す例えば折り数や間隔などの数値情報、バッグ本体、持ち手、縫い目などの物品の形状や寸法などについては、あくまでも一例であり、本実施形態の態様に限定されない。
【００１２】
＜携帯型バッグの構成＞
図１、図２は、いずれも本実施形態の携帯型バッグ１００の斜視図であり、図１は袋状の本体部１０の中に何も収納していない状態を例示している。この状態を、後に示す「重ね折り状態」と相対する状態を指すものとして、「展開状態」と称する。また図２は、マチ１１を広げて本体部１０の中に購入した商品などを入れ、持ち手２０を把持して持ち上げた状態を例示している。この状態を「使用状態」と称する。ここでは、便宜上、留め具３０が取り付けられている面（図１、図２で視認可能となっている面）を「前面」とし、その裏側の外面を「背面」とする。また以降の説明では、図１、図２に示すように、主に開口部５１を上方にし、底部５２を下方にした姿勢や状態を基準とし、上下方向や水平方向（横方向）に関する説明は、この基準に従うものとする。
【００１３】
携帯型バッグ１００の本体部１０は、例えばポリエステル製（これ以外を材料としてもよい）のシートを重ね合わせて周囲を縫い込んで、袋状にした部材である。本体部１０は、開口部５１を介して物を内部に収納し、また開口部５１を介して収納した物を取り出すことができる。
【００１４】
本体部１０には、横筋線の折り目６１、６２が等間隔に設けられている。折り目６１、６２は、経時的な使用によって消滅しないように、プリーツ加工により強めに設けられている。図１、図２で示される前面においては、折り目６１が山折りとなり、折り目６２が谷折りとなっている。一方、反対面である背面においては、この山折り、谷折りが逆転し、折り目６１が谷折りとなり、折り目６２が山折りとなる。このように本体部１０は、開口部５１を上方にした姿勢で等間隔の横筋線となる、山折りと谷折りを繰り返した蛇腹の折り目を有している。
【００１５】
一対の持ち手２０は、本体部１０の開口部５１を挟んだ位置に設けられ、また本体部１０の前面、背面の両側にそれぞれ設けられている。
【００１６】
この一対の持ち手２０は、本体部１０の共布（共切れ、共地ともいう）を用いて作られたベルト状の部材であり、バッグ利用者が部材の中央部を把持して持ち上げることで、本体部１０を吊り下げて運ぶことができる。持ち手２０は、本体部１０の開口部５１付近（＝後述の分割領域１０Ａの領域内）に位置しており、開口部５１を上方にした姿勢において、横方向が長尺となるように設けられている。
【００１７】
また持ち手２０は、横方向の両端で本体部１０に固定するように縫い込まれている。この縫い込み箇所を、ここでは縫込み部２１とする。この縫込み部２１の一方では、ストレッチテープをリング状にした留め具３０も一緒に縫い込まれている。
【００１８】
本実施形態における持ち手２０は、紐状部材ではなく、一定の幅を有するベルト状の部材としている。ベルト状の部材とすることで、ベルトの面で荷重を支持することができ、荷重を一点で支持する紐状部材に比べ、負荷が分散されるため耐久性が増す。このように本実施形態における持ち手２０は、一定の幅を有するベルト状であることから、図２に示す使用状態では、一対の持ち手２０の遠近方向において、端部２０Ａは互いに接近する位置となり、端部２０Ｂは幅の寸法に応じて少し離れた位置となる。
【００１９】
図３（Ａ）は、重ね折りした状態の携帯型バッグ１００を例示している。携帯型バッグ１００を片付ける際、バッグ使用者は、山折り及び谷折りの折り目の付き方に従い、本体部１０を図１に示す展開状態から図３（Ａ）に示す重ね折り状態にすることができる。逆に、携帯型バッグ１００を使用する際には、バッグ使用者は、図３（Ａ）に示す重ね折り状態から図１に示す展開状態にする。
【００２０】
またバッグ使用者は、図３（Ａ）に示す重ね折り状態で、留め具３０を用いて携帯型バッグ１００を拘束することができる。留め具３０で拘束するまでの一連の動きを、図３（Ｂ）〜（Ｄ）に示す。バッグ使用者は、留め具３０のリングを広げ（図３（Ｂ））、そしてリングの外側面３０１が内側に、内側面３０２が外側にくるようにねじって反転させながら（図３（Ｃ））、本体部１０の一端部をリング内に通す。これにより携帯型バッグ１００は、本体部１０の一端部が留め具３０により拘束され、重ね折りの状態を維持することができる（図３（Ｄ））。
【００２１】
図３（Ｅ）は、折り目６１、６２と直行する方向に折り目があるものと見立てて更にもう１段階折り畳んだ状態を図示している。このように折り畳んでから、留め具３０で拘束してもよい。
【００２２】
図４は携帯型バッグ１００の前面（バッグ外側）を示した図であり、図５は背面（バッグ外側）を示した図である。図４、図５は、いずれも開口部５１を上方とし、底部５２を下方とした姿勢の正面図である。
【００２３】
持ち手２０の両端にある縫込み部２１のそれぞれは、上底よりも下底の方を短くした逆直角台形の形状をしており、相互に接近する側の辺が４５°傾斜している。この図４、図５に示す縫込み部２１の形状により、開口部５１に近い側の端部２０Ａの有効長（持ち手として有効に利用できる長さ）と、開口部５１から少し離れた側の端部２０Ｂの有効長とが相互に異なる長さとなる。すなわち、端部２０Ａの方が端部２０Ｂよりも有効長が短くなる。
【００２４】
ここで、端部２０Ａの方を端部２０Ｂよりも有効長を短くした理由について説明する。バッグ使用者は、一対の持ち手２０を把持して本体部１０を吊るした状態にするとき、持ち手２０のそれぞれは、図２に示すように開口部５１を挟んで並ぶようになる。このときの持ち手２０同士の遠近方向においては、上述のとおり、端部２０Ａ同士は互いに接近した位置となり、端部２０Ｂ同士は少し離れた位置となる。
【００２５】
仮に、端部２０Ａと端部２０Ｂとの有効長を同じとするか、もしくは端部２０Ａの方が長いと仮定すると、図２に示す本体部１０を吊るした姿勢にしたとき、一対の持ち手２０の内側に来る端部２０Ａの長さが余り、たるんでしまう。これは、持ち手２０のベルト幅が広くなるにつれて顕著となっていく。本実施形態のように有効長に差を設け、端部２０Ａの方が端部２０Ｂよりも有効長を短くすることで、このたるみを低減させることができる。
【００２６】
＜携帯性に関する性能向上＞
図４、図５に示すように、本体部１０の前面または背面のシート面を折り目６１、６２で区画すると、５つの等分領域に分けることができる。この各領域を、ここでは分割領域１０Ａ、１０Ｂ、１０Ｃ、１０Ｄ、１０Ｅとする。持ち手２０は、開口部５１に最も近い分割領域１０Ａからはみ出ずに全てが収まるように設けられている。すなわち、蛇腹の折り目６１、６２に従い本体部１０を重ね折りした場合、図３（Ａ）〜（Ｅ）に示すように、持ち手２０は、本体部１０のシートの面領域（分割領域１０Ａ）からはみ出ない。よって、携帯型バッグ１００を折り畳んだときに、持ち手２０が張り出して邪魔になるような状況が無くなり、収まり具合がよく、携帯性に関する性能が向上する。
【００２７】
＜携帯型バッグの取り出しについて＞
図３（Ａ）に示すように、一対の持ち手２０のうちの一つ（具体的には、留め具３０の付されている持ち手）は、蛇腹の折り目に従い本体部１０を重ね折りした状態で、本体部１０の最も外側の面（＝最外面）である最上面（分割領域１０Ａに相当）で露出するように設けられている。
【００２８】
このような構成となっている携帯型バッグ１００の使用時の動作を説明する。バッグ使用者は、テーブルなどの上に図３（Ａ）に示す重ね折り状態の携帯型バッグ１００を置き、最上部で露出している持ち手２０の中央部を把持して持ち上げる。これにより、重ね折り状態から素早く展開状態にすることができる。持ち手２０が露出していることから、バッグ使用者はすぐに当該持ち手の位置を確認し、把持することができる。また持ち手２０は、開口部５１の近くに設けられている。よって、持ち手２０を把持して持ち上げるだけで、開口部５１の位置を気にすることなく携帯型バッグ１００を正しい姿勢（開口部５１を上方にした姿勢）で持つことができる。
【００２９】
尚、持ち手２０の中央部を把持した状態で、中空で本体部１０の底部５２側の部位を落下させ、必要に応じて軽く振ると、本体部１０の自重により素早く図１の展開状態とすることも可能である。
【００３０】
このように展開状態にした後、バッグ使用者がもう一方の持ち手２０を把持して持ち手２０同士を離間させる方向に引っ張ることで、携帯型バッグ１００は、開口部５１で開いて使用可能な状態となる。
【００３１】
この一連の動作を行うことで、携帯型バッグ１００は、重ね折り状態から展開状態へ、展開状態から使用状態へ素早く遷移させることができる。すなわち、携帯型バッグ１００を容易に取り出して使用することができる。
【００３２】
また、携帯型バッグ１００は、プリーツ加工により強めに折り目が付されているため、使用後においては、蛇腹の折り目に従い図１の展開状態から図３（Ａ）に示す重ね折り状態に容易に遷移させることができる。
【００３３】
＜縫込み箇所の補強＞
上述の構成に加え、ここでは本体部１０と持ち手２０とを縫い込んで固定した箇所の補強について説明する。ある程度重量のある商品を携帯型バッグ１００に入れて持ち運ぶことを想定すると、これに耐えるため、本体部１０と持ち手２０との縫込み箇所の強度を高めておく必要がある。ここでは、この強度を高める実装例について説明する。
【００３４】
図６（Ａ）は、補強処理を施した携帯型バッグ１００の前面を示し、図６（Ｂ）は、図６（Ａ）に示す前面の裏側の面（バッグ内側の面）を示している。また図６（Ｃ）は、図６（Ａ）、（Ｂ）の図中に示すＡ−Ａ’断面の模式図である。尚、ここでは前面のみの説明とするが、背面も同様の補強処理が施される。
【００３５】
縫込み箇所を補強する手法の一つとして、布（＝シート）の厚みを増やす手法が知られている。図６の例では、これを採用し、本体部１０と持ち手２０とを縫い込む箇所である縫込み部２１に力布７１を当てて厚み増やし、この力布７１も一緒に縫い込んでいる。このようにすることで、図６（Ｃ）に示すように、縫込み部２１では、図中のＰ１で折り返されてＰ２で終端する本体部１０のシートに加え、持ち手２０及び力布７１も一緒に計４枚分の布が重なることになり、厚みを増やすことができる。
【００３６】
この布の厚みを増やす方法に加えて、本実施形態では、荷重負荷の集中するところに対しては多重に縫い込みを行う。本実施形態においては、４５°の傾斜面となっている辺の頂点付近２５に負荷が集中するため、この箇所に対して複数回多重に縫い込みを行う。
【００３７】
本実施形態では、第１の補強処理として、本体部１０と持ち手２０との縫込み箇所に力布を当てて布の厚みを増加させた。また、第２の補強処理として、荷重負荷の集中するところを多重に縫込んだ。これにより、本体部１０に荷物が入っても、その荷重に耐えうる強度を保持することができる。尚、強度要件を満たすことを前提に、第１、第２の補強処理のいずれか一方のみとしても構わない。
【００３８】
＜留め具のバリエーション＞
これまでに説明した留め具３０は、図１に示すように開口部５１を上方にした姿勢において、上下方向で長尺のリングとなるように設けられている。これに対し、図７（Ａ）の留め具３０Ａのように、横方向で長尺のリングとなるように縫い込まれてもよい。また図７（Ｂ）は、この留め具３０Ａで拘束した状態を例示している。
【００３９】
図８（Ａ）は、留め具として面ファスナーを用いる場合の構成例を示す図である。ベルト部材３０Ｂはストレッチテープであり、一端は縫込み部２１で固定され、他端はフック面３１が設けられた構成となっている。また図８（Ａ）に示す持ち手は、フック面３１と係合可能なループ面３２となっている。
【００４０】
図８（Ｂ）は、本体部１０を折り目６１、６２に従い重ね折りを行い、その後にもう１段階折り畳んだ状態を示している。好適な位置でフック面３１と持ち手のループ面３２とを係合させることで、折り畳まれた状態の本体部１０を拘束することができる。
【００４１】
本考案は、その精神または主要な特徴から逸脱することなく、他の様々な形で実施することができる。そのため、前述の実施形態はあらゆる点で単なる例示に過ぎず、限定的に解釈してはならない。本考案の技術的範囲は、実用新案登録請求の範囲によって示すものであって、明細書本文には、なんら拘束されない。更に、実用新案登録請求の範囲の均等範囲に属する全ての変形、様々な改良、代替及び改質は、すべて本考案の範囲内のものである。
【符号の説明】
【００４２】
１０：本体部、１０Ａ、１０Ｂ、１０Ｃ、１０Ｄ、１０Ｅ：分割領域、１１：マチ、
２０：持ち手、２０Ａ、２０Ｂ：端部、２１：縫込み部、２５：頂点付近の辺、
３０、３０Ａ：留め具、３０Ｂ：ベルト部材、３１：フック面、３２：ループ面、
５１：開口部、５２：底部、６１、６２：折り目、７１：力布、
１００：携帯型バッグ、３０１：留め具の外側面、３０２：留め具の内側面。
【図１】
0003229617.tif 000003
【図２】
0003229617.tif 000004
【図３】
0003229617.tif 000005
【図４】
0003229617.tif 000006
【図５】
0003229617.tif 000007
【図６】
0003229617.tif 000008
【図７】
0003229617.tif 000009
【図８】
0003229617.tif 000010